(57)【要約】  ユーザ装置の動作モードをアイドルモードに設定する制御部と、前記アイドルモードでデータを送信するための事前設定された無線リソースを用いてデータを送信する送信部と、ページング用のサーチスペース及び前記アイドルモードにおいてモニタする追加的なサーチスペースのうちの少なくとも１つのサーチスペースをモニタすることにより、前記データに対する送達確認情報を受信する受信部と、を備えるユーザ装置。
2020166027.tif 000002
【特許請求の範囲】
【請求項１】
ユーザ装置の動作モードをアイドルモードに設定する制御部と、
前記アイドルモードでデータを送信するための事前設定された無線リソースを用いてデータを送信する送信部と、
ページング用のサーチスペース及び前記アイドルモードにおいてモニタする追加的なサーチスペースのうちの少なくとも１つのサーチスペースをモニタすることにより、前記データに対する送達確認情報を受信する受信部と、
を備えるユーザ装置。
【請求項２】
前記受信部は、前記事前設定された無線リソースの設定情報であって、前記追加的なサーチスペースの設定情報を含む、設定情報を受信し、
前記事前設定された無線リソースが周期的に設定される場合、前記追加的なサーチスペースの時間位置は前記事前設定された無線リソースの時間位置と関連付けられる、又は前記追加的なサーチスペースの周期は前記事前設定された無線リソースの周期と関連付けられる、
請求項１に記載のユーザ装置。
【請求項３】
前記受信部は、設定情報であって、前記送達確認情報を受信するために前記ページング用のサーチスペースをモニタすべきであるか、前記送達確認情報を受信するために前記追加的なサーチスペースをモニタすべきであるか、又は前記送達確認情報を受信するために前記ページング用のサーチスペース及び前記追加的なサーチスペースをモニタすべきであるかを示す、設定情報、を受信し、
前記制御部は、前記設定情報に従って、前記送達確認情報を受信するために、前記受信部に前記ページング用のサーチスペース、前記追加的なサーチスペース、又は前記ページング用のサーチスペース及び前記追加的なサーチスペースをモニタさせる、
請求項１に記載のユーザ装置。
【請求項４】
前記ページング用のサーチスペース及び前記追加的なサーチスペースは、１つのサブフレーム内に設定され、
前記制御部は、前記受信部が前記ページング用のサーチスペースをブラインド復号化する回数の第１の上限値と、前記受信部が前記追加的なサーチスペースをブラインド復号化する回数の第２の上限値との合計が、前記１つのサブフレームにおける物理下りリンク制御チャネルについてのブラインド復号化の回数の上限値以下となるように、前記第１の上限値と前記第２の上限値とを設定する、
請求項１に記載のユーザ装置。
【請求項５】
前記制御部は、前記ユーザ装置の動作モードとして、さらに、Ｄｉｓｃｏｎｔｉｎｕｏｕｓ  Ｒｅｃｅｐｔｉｏｎ  Ｍｏｄｅを適用し、
前記受信部は、前記送信部が前記データを送信したＤＲＸサイクル内に設定された前記追加的なサーチスペースをモニタすることにより、前記データに対する前記送達確認情報を受信する、
請求項１に記載のユーザ装置。
【請求項６】
ユーザ装置の動作モードをアイドルモードに設定するステップと、
前記アイドルモードでデータを送信するための事前設定された無線リソースを用いてデータを送信するステップと、
ページング用のサーチスペース及び前記アイドルモードにおいてモニタする追加的なサーチスペースのうちの少なくとも１つのサーチスペースをモニタすることにより、前記データに対する送達確認情報を受信するステップと、
を備える、ユーザ装置による通信方法。
【発明の詳細な説明】
【技術分野】
【０００１】
本発明は、無線通信システムにおけるユーザ装置及び通信方法に関する。
【背景技術】
【０００２】
現在、３ｒｄ  Ｇｅｎｅｒａｔｉｏｎ  Ｐａｒｔｎｅｒｓｈｉｐ  Ｐｒｏｊｅｃｔ（３ＧＰＰ）のＬＴＥ  Ｉｎｔｅｒｎｅｔ  ｏｆ  Ｔｈｉｎｇｓ（ＩｏＴ），すなわちＮＢ−ＩｏＴ（Ｎａｒｒｏｗ  Ｂａｎｄ  ＩｏＴ）又はｅＭＴＣ（ｅｎｈａｎｃｅｄ  Ｍａｃｈｉｎｅ  Ｔｙｐｅ  Ｃｏｍｍｕｎｉｃａｔｉｏｎ）のリリース１６に向けたＥｎｈａｎｃｅｍｅｎｔにおいてＰｒｅｃｏｎｆｉｇｕｒｅｄ  Ｕｐｌｉｎｋ（ＵＬ）  ｒｅｓｏｕｒｃｅｓ（ＰＵＲ）に関する議論が行われている。また、３ＧＰＰのリリース１７以降のＮｅｗ  Ｒａｄｉｏ（ＮＲ）において、アイドルモードのユーザ装置向けのＰｏｗｅｒ  ｓａｖｉｎｇが議論される可能性がある。この場合において、アイドルモードのユーザ装置向けに、ネットワーク側からのユーザ装置に対する無線リソースの割り当てを前提としない（Ｇｒａｎｔ  ｌｅｓｓ、又はＧｒａｎｔ  Ｆｒｅｅ）送信方法がＮＲで規定される可能性がある。【０００３】
ＰＵＲを使用した無線通信は、主に３ＧＰＰのリリース１６のｅＭＴＣ／ＮＢ−ＩｏＴ  ｅｎｈａｎｃｅｍｅｎｔを対象とするが、ＰＵＲを使用した無線通信は、３ＧＰＰのリリース１６のｅＭＴＣ／ＮＢ−ＩｏＴ  ｅｎｈａｎｃｅｍｅｎｔに限定されず、ＮＲシステムに適用されることが想定されている。
【先行技術文献】
【非特許文献】
【０００４】
【非特許文献１】３ＧＰＰ  ＴＳ  ３８．３０４  Ｖ１５．２．０（２０１８−１２）
【非特許文献２】３ＧＰＰ  ＴＳ  ３８．２１３  Ｖ１５．３．０  （２０１８−０９）
【非特許文献３】３ＧＰＰ  ＴＳ  ３８．３３１  Ｖ１５．３．０  （２０１８−０９）
【発明の概要】
【発明が解決しようとする課題】
【０００５】
アイドルモードのユーザ装置が、基地局からのグラントを伴わないデータの送信を行った後、基地局から送信される送達確認情報（ａｃｋｎｏｗｌｅｄｇｅｍｅｎｔ（ＡＣＫ）／ｎｅｇａｔｉｖｅ−ａｃｋｎｏｗｌｅｄｇｅｍｅｎｔ（ＮＡＣＫ））を受信する際の動作は、現時点では規定されていない。ユーザ装置の状態は、データを送信した後も、アイドルモードのままとなることが想定されており、アイドルモードのユーザ装置が送達確認情報を受信する方法が必要とされている。
【課題を解決するための手段】
【０００６】
本発明の一態様によれば、ユーザ装置の動作モードをアイドルモードに設定する制御部と、前記アイドルモードでデータを送信するための事前設定された無線リソースを用いてデータを送信する送信部と、ページング用のサーチスペース及び前記アイドルモードにおいてモニタする追加的なサーチスペースのうちの少なくとも１つのサーチスペースをモニタすることにより、前記データに対する送達確認情報を受信する受信部と、を備えるユーザ装置が提供される。
【発明の効果】
【０００７】
開示の技術によれば、アイドルモードのユーザ装置が送達確認情報を受信する方法が提供される。
【図面の簡単な説明】
【０００８】
【図１】本実施の形態における通信システムの構成図である。
【図２】ＰＵＲを使用した無線通信の例を示す図である。
【図３】Ｄｅｄｉｃａｔｅｄ  ＰＵＲを使用した、ユーザ装置によるデータ送信の動作例を示す図である。
【図４】ＣＢＳ  ＰＵＲを使用した、ユーザ装置によるデータ送信の動作例を示す図である。
【図５】ＣＦＳ  ＰＵＲを使用した、ユーザ装置によるデータ送信の動作例を示す図である。
【図６】ページング用のサーチスペースに加えて、追加のサーチスペースを設定する例を示す図である。
【図７】ＤＲＸを使用している場合において、ユーザ装置が送達確認情報を受信する動作例を示す図である。
【図８】ｅＤＲＸを使用している場合において、ユーザ装置が送達確認情報を受信する動作例を示す図である。
【図９Ａ】ＬＴＥのＵＬのＳＰＳのリソース配置の例を示す図である。
【図９Ｂ】ＳＰＳのリソースを開放する方法の例を示す図である。
【図１０】ＴＡタイマが失効した場合に、ＴＡが適切であることを再度検証する方式の例を示す図である。
【図１１】ＰＵＲのリリースの必要性を例示する図である。
【図１２】ＴＡが適切である間、ＰＵＲで常に上りリンクのデータを送信する例を示す図である。
【図１３】ユーザ装置１０の機能構成の一例を示す図である。
【図１４】基地局２０の機能構成の一例を示す図である。
【図１５】ユーザ装置１０及び基地局２０のハードウェア構成の一例を示す図である。
【発明を実施するための形態】
【０００９】
以下、図面を参照して本発明の実施の形態を説明する。なお、以下で説明する実施の形態は一例に過ぎず、本発明が適用される実施の形態は、以下の実施の形態には限定されない。
【００１０】
以下の実施の形態における無線通信システムは基本的にＮＲに準拠することを想定しているが、それは一例であり、本実施の形態における無線通信システムはその一部又は全部において、ＮＲ以外の無線通信システム（例：ＬＴＥ）に準拠していてもよい。
【００１１】
（システム全体構成）
図１に本実施の形態に係る無線通信システムの構成図を示す。本実施の形態に係る無線通信システムは、図１に示すように、ユーザ装置１０、及び基地局２０を含む。図１には、ユーザ装置１０、及び基地局２０が１つずつ示されているが、これは例であり、それぞれ複数であってもよい。
【００１２】
ユーザ装置１０は、スマートフォン、携帯電話機、タブレット、ウェアラブル端末、Ｍ２Ｍ（Ｍａｃｈｉｎｅ−ｔｏ−Ｍａｃｈｉｎｅ）用通信モジュール等の無線通信機能を備えた通信装置であり、基地局２０に無線接続し、無線通信システムにより提供される各種通信サービスを利用する。基地局２０は、１つ以上のセルを提供し、ユーザ装置１０と無線通信する通信装置である。
【００１３】
本実施の形態において、複信（Ｄｕｐｌｅｘ）方式は、ＴＤＤ（Ｔｉｍｅ  Ｄｉｖｉｓｉｏｎ  Ｄｕｐｌｅｘ）方式でもよいし、ＦＤＤ（Ｆｒｅｑｕｅｎｃｙ  Ｄｉｖｉｓｉｏｎ  Ｄｕｐｌｅｘ）方式でもよい。
【００１４】
（事前設定された上りリンクのリソース（ＰＵＲ））
事前設定された上りリンクのリソース（ＰＵＲ）の例について、図２を参照して説明する。以下の図２で説明するＰＵＲを使用した無線通信は、主に３ＧＰＰのリリース１６のｅＭＴＣ／ＮＢ−ＩｏＴ  ｅｎｈａｎｃｅｍｅｎｔを対象とするが、ＰＵＲを使用した無線通信は、３ＧＰＰのリリース１６のｅＭＴＣ／ＮＢ−ＩｏＴ  ｅｎｈａｎｃｅｍｅｎｔに限定されず、ＮＲシステムに適用されてもよい。
【００１５】
図２に示されるように、通信を行う前に、基地局２０とユーザ装置１０との間で、ユーザ装置がデータの送信を行うためのＰＵＲの設定を行う。その後、ユーザ装置１０は、ＰＵＲを使用して、データの送信を周期的に行う。つまり、基地局２０とユーザ装置１０との間でＰＵＲの設定を行った後、ユーザ装置１０は、基地局２０から別途、無線リソースを割り当てられることなく、ＰＵＲを使用してデータの送信を行う。
【００１６】
なお、上記のＰＵＲを使用したユーザ装置１０のデータ送信の方式は、データの送信をアイドルモード（アイドルモード）のユーザ装置１０が行うことを想定している。この点において、上述のＰＵＲを使用したデータ送信の方式は、セミパーシステントスケジューリングを使用したユーザ装置１０のデータの送信の方式とは異なる。
【００１７】
ＰＵＲを使用したユーザ装置１０によるデータ送信の方式は、アイドルモードのユーザ装置１０をサポートする。
【００１８】
上りの送信を行うことになるので、ユーザ装置１０は、ユーザ装置１０自身の適切な送信のタイミング、すなわち、適切なタイミングアドバンス（ＴＡ：  Ｔｉｍｉｎｇ  Ａｄｖａｎｃｅ）を保持していることが必要となる。特に、上述のように、ＰＵＲを使用したデータ送信の方式では、アイドルモードのユーザ装置１０をサポートするので、適切なＴＡを保持しているユーザ装置１０のみがＰＵＲを使用してデータを送信することが許可されるべきである。
【００１９】
これについて、アイドルモードのユーザ装置１０がどのようにして、適切な（ｖａｌｉｄな）ＴＡを取得するのかという問題がある。
【００２０】
適切なＴＡを保持しているユーザ装置１０のみがＰＵＲを使用してデータを送信できることが前提とされる場合において、ユーザ装置１０が適切なＴＡを保持していない場合には、ユーザ装置１０は、Ｒａｎｄｏｍ  Ａｃｃｅｓｓ  Ｃｈａｎｎｅｌ（ＲＡＣＨ）  ｐｒｏｃｅｄｕｒｅ又はＥａｒｌｙ  Ｄａｔａ  Ｔｒａｎｓｍｉｓｓｉｏｎ（ＥＤＴ）  ｐｒｏｃｅｄｕｒｅにフォールバックして、適切なＴＡを取得し直す方法が考えられる。
【００２１】
（ＰＵＲの種別）
ＰＵＲの種別として、３ＧＰＰのワーキンググループでは、以下の３種類のＰＵＲが現状で合意されている。
（１）Ｄｅｄｉｃａｔｅｄ  ＰＵＲ
（２）Ｃｏｎｔｅｎｔｉｏｎ−ｂａｓｅｄ  ｓｈａｒｅｄ  ｐｒｅｃｏｎｆｉｇｕｒｅｄ  ＵＬ  ｒｅｓｏｕｒｃｅ  （ＣＢＳ  ＰＵＲ）
（３）Ｃｏｎｔｅｎｔｉｏｎ−ｆｒｅｅ  ｓｈａｒｅｄ  ｐｒｅｃｏｎｆｉｇｕｒｅｄ  ＵＬ  ｒｅｓｏｕｒｃｅ  （ＣＦＳ  ＰＵＲ）
【００２２】
上記（１）のＤｅｄｉｃａｔｅｄ  ＰＵＲは、特定のユーザ装置１０に対して専用に設定されるＰＵＲとされている。Ｄｅｄｉｃａｔｅｄ  ＰＵＲを使用してユーザ装置１０が送信する場合、その送信リソースは専用のリソースとされているため、競合解決の手順を適用することは必要とされない。このＤｅｄｉｃａｔｅｄ  ＰＵＲの設定を行う場合、ＬＴＥのセミパーシステントスケジューリングにおけるリソース割り当ての方法が流用されてもよい。
【００２３】
上記（２）及び（３）のユーザ装置１０の間でＰＵＲを共有する方法については、現時点では、まだその仕組みの詳細は定められていない。
【００２４】
上記（２）のＣｏｎｔｅｎｔｉｏｎ−ｂａｓｅｄ  ｓｈａｒｅｄ  ｐｒｅｃｏｎｆｉｇｕｒｅｄ  ＵＬ  ｒｅｓｏｕｒｃｅ  （ＣＢＳ  ＰＵＲ）は、複数のユーザ装置１０の間で共有されるＰＵＲである。複数のユーザ装置１０がＣＢＳ  ＰＵＲで送信を行う場合、複数のユーザ装置１０の間で送信が競合することがあり得る。従って、複数のユーザ装置１０がＣＢＳ  ＰＵＲで送信を行う場合、競合を解決することが必要になると考えられる。
【００２５】
上記（３）のＣｏｎｔｅｎｔｉｏｎ−ｆｒｅｅ  ｓｈａｒｅｄ  ｐｒｅｃｏｎｆｉｇｕｒｅｄ  ＵＬ  ｒｅｓｏｕｒｃｅ  （ＣＦＳ  ＰＵＲ）は、ＰＵＲの一部が複数のユーザ装置１０の間で共有され、かつ当該ＰＵＲの他の一部が複数のユーザ装置１０では共有されず、各ユーザ装置１０に専用に割り当てられる、ＰＵＲである。例えば、ＣＦＳ  ＰＵＲの例として、Ｍｕｌｔｉ−ｕｓｅｒ，  Ｍｕｌｔｉｐｌｅ  Ｉｎｐｕｔ，  Ｍｕｌｔｉｐｌｅ  Ｏｕｔｐｕｔ（ＭＵ−ＭＩＭＯ）の場合において、Ｄｅｍｏｄｕｌａｔｉｏｎ  Ｒｅｆｅｒｅｎｃｅ  Ｓｉｇｎａｌ（ＤＭ−ＲＳ）は複数のユーザ装置１０に対して個別に割り当てておき、チャネル推定は複数のユーザ装置１０に対して個別に行うことはできるが、データ自体は、複数のユーザ装置１０の間で同じ周波数リソースを用いて送信を行う場合が考えられる。
【００２６】
図３は、（１）Ｄｅｄｉｃａｔｅｄ  ＰＵＲを使用したユーザ装置１０によるデータ送信の動作例を示す図である。まず、ステップＳ１０１で、ユーザ装置１０及び基地局２０は、Ｄｅｄｉｃａｔｅｄ  ＰＵＲの設定を行う。その後、ユーザ装置１０は、Ｄｅｄｉｃａｔｅｄ  ＰＵＲが設定されているタイミングのうち、所望のタイミングで、該当するＤｅｄｉｃａｔｅｄ  ＰＵＲを使用してデータを送信する（ステップＳ１０２）。データを送信する際に、ユーザ装置１０は、アイドルモードの状態のままデータを送信してもよい。
【００２７】
図４は、（２）ＣＢＳ  ＰＵＲを使用したユーザ装置１０によるデータ送信の動作例を示す図である。まず、ステップＳ２０１で、複数のユーザ装置１０及び基地局２０は、共有のＰＵＲの設定を行う。次にステップＳ２０２において、ユーザ装置１０は、共有のＰＵＲを使用してデータの送信を行う。また、その際、ステップＳ２０２'においてユーザ装置１０'は、共有のＰＵＲを使用してデータの送信を行う。この場合、ステップＳ２０３において、基地局２０では、ユーザ装置１０から送信されるデータとユーザ装置１０'から送信されるデータとの競合が発生する。従って、基地局２０は、その後、競合解決の手順を実行する。例えば、基地局２０は、ユーザ装置１０に対して、指定したタイミングのＰＵＲを使用してデータを再送するように指示を行ってもよい。
【００２８】
図５は、（３）ＣＦＳ  ＰＵＲを使用したユーザ装置１０によるデータ送信の動作例を示す図である。まず、ステップＳ３０１で、複数のユーザ装置１０及び基地局２０は、共有のＰＵＲの設定を行う。次にステップＳ３０２において、ユーザ装置１０及び基地局２０は、ユーザ装置１０に固有のリソースの設定を行う（ステップＳ３０２'において、ユーザ装置１０'及び基地局は、ユーザ装置１０'に固有のリソースの設定を行う）。次に、ステップＳ３０３において、ユーザ装置１０は、ステップＳ３０１で設定したＰＵＲ及びステップＳ３０２で設定したユーザ装置１０に固有のリソースを使用して、データの送信を行う。この際に、ステップＳ３０３'において、ユーザ装置１０'は、ステップＳ３０１で設定したＰＵＲ及びステップＳ３０２'で設定したユーザ装置１０'に固有のリソースを使用して、データの送信を行う。ここで、ステップＳ３０３におけるユーザ装置１０によるデータの送信には、ユーザ装置１０に固有のリソースが使用され、かつステップＳ３０３'におけるユーザ装置１０'によるデータの送信には、ユーザ装置１０'に固有のリソースが使用されるので、競合解決を行わなくても、基地局２０ではユーザ装置１０から送信されたデータとユーザ装置１０'から送信されたデータとを分離して受信することができる。例えば、ユーザ装置１０に固有なリソースとして、ユーザ装置１０に固有な拡散符号を使用して、ユーザ装置１０'に固有なリソースとして、ユーザ装置１０'に固有な拡散符号を使用することができる。
【００２９】
（ＰＤＣＣＨ  ｓｃｈｅｄｕｌｉｎｇ  ｆｏｒ  ｐｒｅｃｏｎｆｉｇｕｒｅｄ  ＵＬ  ｒｅｓｏｕｒｃｅｓ）
上述の動作例のように、アイドルモードのユーザ装置１０が、基地局２０からのグラントを伴わないデータの送信を行った後、基地局２０から送信される送達確認情報（ＡＣＫ／ＮＡＣＫ）を受信する際の動作は、現時点では、不明となっている。ユーザ装置１０の状態は、データを送信した後も、アイドルモードのままとなることが想定されており、この場合にどのようにしてユーザ装置１０が送達確認情報を受信するのか不明となっている。アイドルモードのユーザ装置１０が基地局２０から送信される送達確認情報を受信する方法が必要とされている。
【００３０】
（解決方法１）
ユーザ装置１０は、ページング用のサーチスペース（ｐａｇｉｎｇ  ｓｅａｒｃｈ  ｓｐａｃｅ）を使用して、基地局２０から送信される送達確認情報を受信してもよい。一般に、アイドルモードのユーザ装置１０は、ページング用の信号及びブロードキャスト信号をモニタすることが必要とされている。従って、アイドルモードのユーザ装置１０は、ＰＵＲを用いてデータを送信した後、ページング用のサーチスペースをモニタすることで、基地局２０から送信される送達確認情報を検出及び受信してもよい。
【００３１】
しかしながら、アイドルモードのユーザ装置１０は、通常、消費電力を低減するために、Ｄｉｓｃｏｎｔｉｎｕｏｕｓ  Ｒｅｃｅｐｔｉｏｎ  （ＤＲＸ）を使用する。この場合、ユーザ装置１０は、ＤＲＸサイクル毎に、１つのｐａｇｉｎｇ  ｏｃｃａｓｉｏｎ  （ＰＯ）をモニタする。ここで、ＰＯとは、Ｐｈｙｓｉｃａｌ  Ｄｏｗｎｌｉｎｋ  Ｃｏｎｔｒｏｌ  Ｃｈａｎｎｅｌ（ＰＤＣＣＨ）モニタリング機会（ＰＤＣＣＨ  ｍｏｎｉｔｏｒｉｎｇ  ｏｃｃａｓｉｏｎ）のセットであり、Ｄｏｗｎｌｉｎｋ  Ｃｏｎｔｒｏｌ  Ｉｎｆｏｒｍａｔｉｏｎ（ＤＣＩ）が送信され得る複数の時間スロット（例えば、サブフレーム又はＯＦＤＭシンボル）からなる。１つのページングフレーム（ＰＦ）は、１つの無線フレームであり、１つ又は複数のＰＯを含むか、又はＰＯの開始点（ｓｔａｒｔｉｎｇ  ｐｏｉｎｔ）を含む。
【００３２】
このように、ユーザ装置１０がＤＲＸを使用しており、ユーザ装置１０がＤＲＸサイクルにおいて、ＰＯをモニタした直後に、データを送信した場合、ユーザ装置１０が送達確認情報を受信できる機会は、次のＤＲＸサイクルのＰＯとなる。例えば、ユーザ装置１０が送達確認情報を受信できる機会は、データを送信してから４０分後等、比較的、長い時間が経過した後となってしまう可能性がある。
【００３３】
（解決方法２）
上記の解決方法１とは別の解決方法として、ＰＵＲを使用したユーザ装置１０によるデータの送信に対する送達確認情報をユーザ装置１０が受信するために、追加のサーチスペースを定義する方法が考えられる。その上で、アイドルモードのユーザ装置１０が、ページング用のサーチスペースに加えて、追加のサーチスペースをモニタするように設定することにより、アイドルモードのユーザ装置１０に、送達確認情報を受信させることができる。図６は、ページング用のサーチスペースに加えて、追加のサーチスペースを設定する例を示す図である。
【００３４】
ユーザ装置１０がモニタするサーチスペースについては、例えば、ネットワークがユーザ装置１０に対して設定することが可能であってもよい。例えば、ユーザ装置１０に対してＰＵＲが設定されている場合において、ユーザ装置１０は、ページング用のサーチスペースだけをモニタするように設定されてもよい。代替的に、ユーザ装置１０は、追加のサーチスペースだけをモニタするように設定されてもよい。代替的に、ユーザ装置１０は、ページング用のサーチスペース及び追加のサーチスペースをモニタするように設定されてもよい。
【００３５】
追加のサーチスペースの配置方法として、例えば、ＰＵＲを周期的に設定する場合において、当該ＰＵＲの周期と同じ周期で追加のサーチスペースを配置する方法が考えられる。例えば、ＰＵＲの直後に追加のサーチスペースを配置してもよい。代替的に、１つのＰＵＲと別のＰＵＲの間に追加のサーチスペースを配置してもよい。すなわち、追加のサーチスペースの配置される位置は、ＰＵＲからの相対的な位置として指定されてもよい。また、追加のサーチスペースは、ＰＵＲの配置と関連付けて配置されてもよい。例えば、ＰＵＲの２つのセットに対して追加のサーチスペースが１つ配置されてもよい。例えば、ユーザ装置１０と基地局２０との間で、ＰＵＲを設定する際に、追加のサーチスペースの配置が設定されてもよい。すなわち、ＰＵＲの設定情報には、追加のサーチスペースの設定情報が含まれてもよい。ＰＵＲが周期的に設定される場合には、追加のサーチスペースの時間位置（ｔｉｍｅ  ｏｃｃａｓｉｏｎ）は、ＰＵＲの時間位置と関連付けられていてもよく、又は追加のサーチスペースの周期は、ＰＵＲの周期と関連付けられていてもよく，又は同一でもよい。追加のサーチスペースをモニタする際に使用するＲａｄｉｏ  Ｎｅｔｗｏｒｋ  Ｔｅｍｐｏｒａｒｙ  Ｉｄｅｎｔｉｆｉｅｒ（ＲＮＴＩ）としては、ページング用のＲＮＴＩを使用してもよいし、コネクテッドモードで割り当てられたＲＮＴＩをアイドルモードにおいて引き継いでもよい。代替的に、追加のサーチスペース専用のＲＮＴＩを定義した上で、追加のサーチスペース専用のＲＮＴＩを使用して追加のサーチスペースのブラインドデコーディングを行ってもよい。
【００３６】
（動作例１）
上述した通り、ＰＯとは、ＰＤＣＣＨモニタリング機会（ＰＤＣＣＨ  ｍｏｎｉｔｏｒｉｎｇ  ｏｃｃａｓｉｏｎ）のセットであり、ＤＣＩが送信され得る複数の時間スロット（例えば、サブフレーム又はＯＦＤＭシンボル）からなる。１つのページングフレーム（ＰＦ）は、１つの無線フレームであり、１つ又は複数のＰＯを含むか、又はＰＯの開始点（ｓｔａｒｔｉｎｇ  ｐｏｉｎｔ）を含む。
【００３７】
図７は、基地局２０とユーザ装置１０との間でＰＵＲを設定し、ユーザ装置１０がＤＲＸを使用している場合において、ユーザ装置１０が送達確認情報を受信する動作例を示す図である。ユーザ装置１０は、ＤＲＸサイクル毎に、１つのページングフレームに含まれる１つのｐａｇｉｎｇ  ｏｃｃａｓｉｏｎ  （ＰＯ）をモニタする。
【００３８】
まず、ステップＳ４０１において、基地局２０及びユーザ装置１０は、ユーザ装置１０によるデータの送信のためのＰＵＲを設定する。
【００３９】
次に、最初のＤＲＸサイクルにおいて、ページングフレームが発生する（ステップＳ４０２）。その後、同じＤＲＸサイクルにおいて、ユーザ装置１０は、ＰＵＲを使用してデータの送信を行う（ステップＳ４０３）。同じＤＲＸサイクルのステップＳ４０４において、ユーザ装置１０は、追加のサーチスペースをモニタし、ステップＳ４０３で送信したデータに対する送達確認情報を受信する。
【００４０】
ここで、基地局２０は、ステップＳ４０３で受信したデータに対する送達確認情報を、追加のサーチスペースで送信するか、又はページング用のサーチスペースで送信するかを選択してもよい。ステップＳ４０４は、基地局２０が追加のサーチスペースで送達確認情報を送信することを選択した場合に該当する。仮に、基地局２０がページング用のサーチスペースのみで送達確認情報を送信することを選択した場合には、ステップＳ４０４での送達確認情報の送信は行われず、次のＤＲＸサイクルにおけるＰＦにおいて、基地局２０は送達確認情報を送信する。このＤＲＸサイクルにおけるＰＦに含まれるＰＯにおいて、ユーザ装置１０は、送達確認情報を受信する（ステップＳ４０５）。
【００４１】
上述の動作例では、ステップＳ４０４の追加のサーチスペースと、ステップＳ４０５のページング用のサーチスペースとが、別々のサブフレームに設定される場合について説明した。しかしながら、本発明の実施例は、この動作例には限定されない。例えば、追加のサーチスペースと、ページング用のサーチスペースとを同じサブフレームに配置してもよい。ここで、１つのサブフレームにおけるＰＤＣＣＨのブラインド復号化の回数には上限値が設定されている。従って、追加のサーチスペースとページング用のサーチスペースとを同じサブフレームに配置する場合には、追加のサーチスペースに対するブラインド復号化の回数とページング用のサーチスペースに対するブラインド復号化の回数との合計が上述の上限値以下となるように設定してもよい。サブフレーム内にページング用のサーチスペースが既に設定してあり、同じサブフレーム内に追加のサーチスペースを設定する場合には、ページング用のサーチスペース向けに用意されていたブラインド復号化の回数を減らして、追加のサーチスペースにおける復号化の回数として配分するといった方法が考えられる。これにより、追加のサーチスペースに対するブラインド復号化の回数とページング用のサーチスペースに対するブラインド復号化の回数との合計が上述の上限値以下となるようにすることができる。
【００４２】
（動作例２）
図８は、基地局２０とユーザ装置１０との間でＰＵＲを設定し、ユーザ装置１０がｅｘｔｅｎｄｅｄ  Ｄｉｓｃｏｎｔｉｎｕｏｕｓ  Ｒｅｃｅｐｔｉｏｎ（ｅＤＲＸ）を使用している場合において、ユーザ装置１０が送達確認情報を受信する動作例を示す図である。ｅＤＲＸでは、ユーザ装置１０のスリープ状態を長くすることで、バッテリセービング効果を向上させている。１つのｅＤＲＸサイクル内には、複数のＰＯが設定されている。ｅＤＲＸのサイクルは、通常のＤＲＸのサイクルよりも長いため、ユーザ装置１０は、Ｐａｇｉｎｇ  Ｈｙｐｅｒｆｒａｍｅ（ＰＨ）内に含まれるＰＯだけをモニタする。ＰＨ外に配置されているＰＦはｉｎｖａｌｉｄな状態とされ、ｅＤＲＸを使用しているユーザ装置１０は、そのようなＰＦをモニタしなくてもよい。この場合において、追加的なサーチスペースの配置を行うには、ＰＦ及びＰＯは既に定義されているので、使用していないＰＦのＰＯを追加的なサーチスペースとすることができる。
【００４３】
図８の例では、まず、ステップＳ５０１で、ユーザ装置１０及び基地局２０は、ユーザ装置１０のデータ送信のためのＰＵＲを設定する。ステップＳ５０２において、ＰＨが発生し、ユーザ装置１０は、ＰＨ内のＰＯをモニタする。ステップＳ５０３で、ユーザ装置１０は、ＰＵＲを用いてデータを送信する。ステップＳ５０４で、ユーザ装置１０は、ＰＨ外のＰＯに設定された追加的なサーチスペースをモニタして、送達確認情報を受信する。
【００４４】
ここで、基地局２０は、ステップＳ５０３で受信したデータに対する送達確認情報を、追加のサーチスペースで送信するか、又はページング用のサーチスペースで送信するかを選択してもよい。ステップＳ５０４は、基地局２０が追加のサーチスペースで送達確認情報を送信することを選択した場合に該当する。仮に、基地局２０がページング用のサーチスペースのみで送達確認情報を送信することを選択した場合には、ステップＳ５０４での送達確認情報の送信は行われず、次のｅＤＲＸサイクルにおけるＰＨに含まれるＰＯにおいて、基地局２０は送達確認情報を送信する。このｅＤＲＸサイクルにおけるＰＨに含まれるＰＯにおいて、ユーザ装置１０は、送達確認情報を受信する（ステップＳ５０５）。
【００４５】
（Ｒｅｌｅａｓｅ  ｍｅｃｈａｎｉｓｍ  ｆｏｒ  ｐｒｅｃｏｎｆｉｇｕｒｅｄ  ＵＬ  ｒｅｓｏｕｒｃｅ）
上述の例では、基地局２０とユーザ装置１０との間でＰＵＲを設定して、ユーザ装置１０がＰＵＲを使用してデータの送信を行う例を説明した。以下の例では、設定したＰＵＲを開放する（リリース）方法について説明する。
【００４６】
ここで、例えば、Ｄｅｄｉｃａｔｅｄ  ＰＵＲを開放する方法として、既存のＬＴＥにおけるセミパーシステントスケジューリング（ＳＰＳ）で設定されているリソースを開放する方法を応用することができる。図９Ａ及び図９Ｂを参照して、この方法の例を説明する。
【００４７】
図９Ａは、ＬＴＥのＵＬのＳＰＳのリソース配置の例を示す図である。図９Ａには、ユーザ装置１０に対して、ＵＬのデータ送信用のリソースが周期的に割り当てられる例が示されている。図９Ｂには、ユーザ装置１０がＭｅｄｉｕｍ  Ａｃｃｅｓｓ  Ｃｏｎｔｒｏｌ（ＭＡＣ）レベルでゼロだけのパケットを作成し、繰り返し送信することにより、図９Ａの例に示されるセミパーシステントに割り当てられたリソースを開放する方法が示されている。ユーザ装置１０から空のＭＡＣ  Ｐｒｏｔｏｃｏｌ  Ｄａｔａ  Ｕｎｉｔ（ＰＤＵ）、すなわちＭＡＣ  Ｓｅｒｖｉｃｅ  Ｄａｔａ  Ｕｎｉｔ（ＳＤＵ）を含まないＭＡＣ  ＰＤＵ、が所定の数だけ送信されたことに応じて、ネットワーク側では、ユーザ装置１０側で送信すべきデータが存在しないことを黙示的に検出して、セミパーシステントに割り当てられたリソースを開放する。このような方法を応用して、ユーザ装置１０が、例えば、物理レイヤの信号を利用してネットワーク側に黙示的にシグナリングを行う方法により、ＰＵＲを開放してもよい。
【００４８】
設定されたＰＵＲを開放する別の方法として、例えば、ネットワークがＲａｄｉｏ  Ｒｅｓｏｕｒｃｅ  Ｃｏｎｔｒｏｌ（ＲＲＣ）  ｃｏｎｎｅｃｔｉｏｎ  ｒｅｃｏｎｆｉｇｕｒａｔｉｏｎ  ｍｅｓｓａｇｅをユーザ装置１０に送信することで、ＰＵＲを開放する方法も考えられる。しかしながら、ＰＵＲを使用するユーザ装置１０の状態は、アイドルモードであることが前提とされているので、このようなアイドルモードのユーザ装置１０は、通常は、ＲＲＣメッセージをモニタすることはできないと考えられる。従って、この方法を適用するには、システムの設計変更が必要となる可能性がある。
【００４９】
図９Ｂに示される例のような黙示的なシグナリングを使用する方法の場合、大きなシステムの設計変更を行わなくてもアイドルモードのユーザ装置１０に適用することができると考えられる。従って、黙示的なシグナリングを使用する方法は、ＲＲＣメッセージを使用する方法よりも有利であると考えられる。
【００５０】
ＰＵＲを使用したデータの送信に関して、アイドルモードのユーザ装置１０のタイミングアドバンス（ＴＡ）の検証（Ｖａｌｉｄａｔｉｏｎ）の方式が現在検討されている。アイドルモードのユーザ装置１０がＰＵＲを使用してデータを送信するには、ユーザ装置１０が適切なＴＡを保持している必要がある。従って、図１０に示されるように、ユーザ装置１０が保持するＴＡタイマが失効した場合に、ＴＡが適切であることを再度検証（ｒｅｖａｌｉｄａｔｉｏｎ）する方式が必要とされている。
【００５１】
ＴＡの検証に関して、３ＧＰＰの会合において、現時点では、以下の事項が合意されている。
【００５２】
（１）サービングセルが変更された場合、それまで適切であると考えられていたＴＡは、適切なＴＡではなくなる。
【００５３】
（２）Ｔｉｍｅ  Ａｌｉｇｎｍｅｎｔ  Ｔｉｍｅｒが現状定義されていて、ユーザ装置１０が保持しているＴＡは、Ｔｉｍｅ  Ａｌｉｇｎｍｅｎｔ  Ｔｉｍｅｒの動作中においてのみ適切であるとされている。Ｔｉｍｅ  Ａｌｉｇｎｍｅｎｔ  Ｔｉｍｅｒは、コネクテッドモードのユーザ装置１０だけで使用できるとされているが、これを拡張して、アイドルモードのユーザ装置１０でも使用できるようにする。
【００５４】
（３）ユーザ装置１０は、サービングセルのＲｅｆｅｒｅｎｃｅ  Ｓｉｇｎａｌ  Ｒｅｃｅｉｖｅｄ  Ｐｏｗｅｒ（ＲＳＲＰ）を測定する。サービングセルのＲＳＲＰが大きく変化した場合には、ユーザ装置１０がそれまで保持していたＴＡは、適切なＴＡではなくなる。
【００５５】
ユーザ装置１０がデータの送信を完了して、ＰＵＲをリリースする場合、少なくとも、上述の黙示的なシグナリングを使用する方法により、ＰＵＲをリリースすることが可能である。
【００５６】
ユーザ装置１０がデータの送信を完了した場合以外に、アイドルモードのユーザ装置１０が、Ｔｉｍｅ  Ａｌｉｇｎｍｅｎｔ  Ｔｉｍｅｒの失効、又はＲＳＲＰが変化したことに応じて、ユーザ装置１０がそれまで保持していたＴＡは適切ではないと判断する場合があり得る。この場合には、ユーザ装置１０は、フォールバック手順（ｆａｌｌｂａｃｋ  ｐｒｏｃｅｄｕｒｅ）を適用して、ＲＡＣＨ手順／ＥＤＴ手順により、適切なＴＡを取得することができる。このように、ユーザ装置１０が適切なＴＡを取得し直すことができた場合には、ユーザ装置１０に対して設定されているＰＵＲを使用することが可能であると考えられる。
【００５７】
さらに別の場合として、例えば、図１１に示されるような場合が考えられる。ユーザ装置１０のサービングセルが変更された場合、又はユーザ装置１０の上りの無線リンクが切れてしまった場合に効率的にＰＵＲをリリースする方法が必要とされている。例えば、ＰＵＲを割り当てられたユーザ装置１０が、突然、遮蔽物に囲まれ、上りの無線リンクが切れてしまったと仮定する。この場合、基地局２０では、ユーザ装置１０において送信すべきデータがないため、ユーザ装置１０がスリープモードに遷移しているのか、又はユーザ装置１０が別のセルに移動してＰＵＲを使用できない状態にあるのか、判定することができない可能性がある。この場合、ユーザ装置１０に割り当てられたＰＵＲは無駄になってしまう可能性がある。このような、無駄になってしまうＰＵＲをリリースする方法が必要とされている。
【００５８】
（Ａｌｔ．１）
上述の例において、基地局２０では、ユーザ装置１０がＰＵＲを使用できるのか、又はＰＵＲを使用できないのか不明な状態になっている。ユーザ装置１０では、ＰＵＲが使用できなくなっている。このような場合に、無駄になっているＰＵＲをリリースする方法の例を以下において説明する。そのような方法の１つの例として、ユーザ装置１０は、ユーザ装置１０のプレゼンス（ユーザ装置１０がＰＵＲを使用できる状態にあること）を示すために、ＰＵＲで常に上りリンクのデータを送信する方法が考えられる。
【００５９】
例えば、図１２に示されるように、ユーザ装置１０は、ＴＡが適切である間は、ＰＵＲで常に上りリンクのデータを送信している。しかしながら、例えば、サービングセルの変更に伴い、ＴＡが適切ではなくなった場合、ユーザ装置１０は、上りリンクのデータの送信を停止する。ＰＵＲで上りリンクのデータが送信されないことを検出した基地局２０は、ＰＵＲをリリースする（ＰＵＲで上りリンクのデータを検出できなかった場合に、基地局２０は、ＰＵＲをリリースしてもよい）。ここで、基地局２０は、ユーザ装置１０が上りリンクのデータを送信しなかったＰＵＲからＰＵＲのカウントを開始して、ユーザ装置１０から上りリンクのデータが送信されないＰＵＲの数が所定数に達した時点で、ＰＵＲを開放してもよい。なお、基地局２０は、上りリンクのデータを検出できなかったことをカウントしてもよい。
【００６０】
（Ａｌｔ．２）
ＩｏＴの場合、ＰＵＲで常にデータを送信することは、電力の削減の観点から好ましくない場合も考えられる。別の方法の例として、ユーザ装置１０は、ＰＵＲを使用した上りのデータの送信をスキップしてもよい。時間軸上に並べられた複数のＰＵＲのうち、ユーザ装置１０は、特定のＰＵＲを使用してデータを送信した後、連続する所定数のＰＵＲでのデータの送信を行わなくてもよい。例えば、ユーザ装置１０は、時間軸上に並べられた複数のＰＵＲのうち、特定のＰＵＲでデータを送信した後、５番目のＰＵＲ毎にデータを送信してもよい。すなわち、ユーザ装置１０は、複数のＰＵＲのうち、所定の頻度のＰＵＲで、ユーザ装置１０のプレゼンスを基地局２０に示すために、上りデータを送信してもよい。
【００６１】
この場合、例えば、ユーザ装置１０は、ＴＡが適切である間は、所定の頻度のＰＵＲで上りリンクのデータを送信する。しかしながら、例えば、サービングセルの変更に伴い、ＴＡが適切ではなくなった場合、ユーザ装置１０は、上りリンクのデータの送信を停止する。所定の頻度のＰＵＲで上りリンクのデータが送信されないことを検出した基地局２０は、ＰＵＲをリリースする。ここで、基地局２０は、ユーザ装置１０から上りリンクのデータが送信されなかった（上りリンクのデータを検出できなかった）ＰＵＲから所定の頻度でＰＵＲのカウントを開始して、ユーザ装置１０から上りリンクのデータが送信されない（上りリンクのデータを検出できなかった）ＰＵＲの数が所定数に達した時点で、ＰＵＲを開放してもよい。
【００６２】
なお、ネットワークは、ユーザ装置１０がＰＵＲで常に上りリンクのデータを送信するか、又はユーザ装置１０が所定の頻度のＰＵＲで上りリンクのデータを送信するかについて、ユーザ装置１０に対して設定することが可能であってもよい。
【００６３】
（装置構成）
次に、これまでに説明した処理動作を実行するユーザ装置１０及び基地局２０の機能構成例を説明する。ユーザ装置１０及び基地局２０は、本実施の形態で説明した全ての機能を備えている。ただし、ユーザ装置１０及び基地局２０は、本実施の形態で説明した全ての機能のうちの一部のみの機能を備えてもよい。なお、ユーザ装置１０及び基地局２０を総称して通信装置と称してもよい。
【００６４】
＜ユーザ装置＞
図１３は、ユーザ装置１０の機能構成の一例を示す図である。図１３に示すように、ユーザ装置１０は、送信部１１０と、受信部１２０と、制御部１３０と、を有する。図１３に示す機能構成は一例に過ぎない。本実施の形態に係る動作を実行できるのであれば、機能区分及び機能部の名称はどのようなものでもよい。
【００６５】
送信部１１０は、送信データから送信信号を作成し、当該送信信号を無線で送信する。受信部１２０は、各種の信号を無線受信し、受信した物理レイヤの信号からより上位のレイヤの信号を取得する。また、受信部１２０は受信する信号の測定を行って、受信電力等を取得する測定部を含む。
【００６６】
制御部１３０は、ユーザ装置１０の制御を行う。なお、送信に関わる制御部１３０の機能が送信部１１０に含まれ、受信に関わる制御部１３０の機能が受信部１２０に含まれてもよい。
【００６７】
ユーザ装置１０において、例えば、送信部１１０は、基地局２０に対してＰＵＲの設定を要求する信号を送信してもよい。受信部１２０は、基地局２０から送信されるＰＵＲの割り当て情報を受信してもよい。制御部１３０は、受信部１２０が受信したＰＵＲの割り当て情報を記憶し、送信すべきデータが生成された際に、データを送信するＰＵＲを記憶された割り当て情報に従って割り当ててもよい。送信部１１０は、制御部１３０により割り当てられたＰＵＲを使用してデータを基地局２０に送信してもよい。
【００６８】
また、制御部１３０は、ＰＵＲの設定時に、受信部１２０が基地局１０から受信した、ページング用のサーチスペースのみをモニタして送達確認情報を受信すべきか、又はページング用のサーチスペース及び追加のサーチスペースをモニタして送達確認情報を受信すべきかを示す設定情報を記憶してもよい。送信部１１０がＰＵＲを使用してデータを送信した後、制御部１３０は、記憶された前述の設定情報に従って、受信部１２０に対して、ページング用のサーチスペースのみをモニタすべきか、又はページング用のサーチスペース及び追加のサーチスペースをモニタすべきかについての指示を行ってもよい。
【００６９】
また、送信部１１０がＰＵＲを使用してデータを送信した後、ユーザ装置１０において基地局２０に送信すべきデータが存在しないことを検出した場合、制御部１３０は、物理レイヤの信号としてゼロだけのパケットを作成し、送信部１１０に当該物理レイヤの信号を繰り返し送信するように指示してもよい。
【００７０】
また、制御部１３０は、ＰＵＲの設定時に、受信部１２０が基地局１０から受信した、ＰＵＲで常にユーザ装置１０のプレゼンスを示すデータを送信すべきか、又は所定の頻度のＰＵＲでユーザ装置１０のプレゼンスを示すデータを送信すべきかを示す設定情報を記憶してもよい。その上で、制御部１３０は、前述の設定情報に従い、送信部１１０にＰＵＲで常にユーザ装置１０のプレゼンスを示すデータを送信させるか、又は送信部１１０に所定の頻度のＰＵＲでユーザ装置１０のプレゼンスを示すデータを送信させてもよい。
【００７１】
＜基地局２０＞
図１４は、基地局２０の機能構成の一例を示す図である。図１４に示されるように、基地局２０は、送信部２１０と、受信部２２０と、制御部２３０と、を有する。図１４に示す機能構成は一例に過ぎない。本実施の形態に係る動作を実行できるのであれば、機能区分及び機能部の名称はどのようなものでもよい。
【００７２】
送信部２１０は、ユーザ装置１０側に送信する信号を生成し、当該信号を無線で送信する機能を含む。受信部２２０は、ユーザ装置１０から送信された各種の信号を受信し、受信した信号から、例えばより上位のレイヤの情報を取得する機能を含む。また、受信部２２０は受信する信号の測定を行って、受信電力等を取得する測定部を含む。
【００７３】
制御部２３０は、基地局２０の制御を行う。なお、送信に関わる制御部２３０の機能が送信部２１０に含まれ、受信に関わる制御部２３０の機能が受信部２２０に含まれてもよい。
【００７４】
基地局２０において、例えば、受信部２２０は、ユーザ装置１０からＰＵＲの設定を要求する信号を受信してもよい。制御部２３０は、受信部２２０がユーザ装置１０からＰＵＲの設定を要求する信号を受信したことに応じて、ユーザ装置１０に対するＰＵＲの割り当て情報を作成してもよい。送信部２１０は、ＰＵＲの割り当て情報をユーザ装置１０に送信してもよい。
【００７５】
また、制御部２３０は、ＰＵＲの設定時に、ユーザ装置１０がページング用のサーチスペースのみをモニタして送達確認情報を受信すべきか、又はページング用のサーチスペース及び追加のサーチスペースをモニタして送達確認情報を受信すべきかを示す設定情報を作成してもよい。送信部２１０は当該設定情報をユーザ装置１０に送信してもよい。
【００７６】
また、制御部２３０は、受信部２２０が、ユーザ装置１０から送信される、物理レイヤの信号としてゼロだけのパケットをユーザ装置１０から繰り返し受信したことに応答して、ユーザ装置１０に対して設定されているＰＵＲをリリースしてもよい。
【００７７】
また、制御部２３０は、ユーザ装置１０に対するＰＵＲの設定時に、ユーザ装置１０が当該ＰＵＲで常にユーザ装置１０のプレゼンスを示すデータを送信すべきことを示す設定情報を作成して、当該設定情報を送信部２１０に送信させてもよい。この場合、制御部２３０は、受信部２２０が、ＰＵＲで、ユーザ装置１０のプレゼンスを示すデータを受信しなかった場合、ＰＵＲのカウントを開始し、ユーザ装置１０のプレゼンスを示すデータが送信されないＰＵＲの数が所定数に達した時点で、ＰＵＲを開放してもよい。
【００７８】
また、制御部２３０は、ユーザ装置１０に対するＰＵＲの設定時に、ユーザ装置１０が所定の頻度のＰＵＲでユーザ装置１０のプレゼンスを示すデータを送信すべきことを示す設定情報を作成して、当該設定情報を送信部２１０に送信させてもよい。この場合、制御部２３０は、受信部２２０が、特定のＰＵＲで、ユーザ装置１０のプレゼンスを示すデータを受信しなかった場合、所定の頻度でのＰＵＲのカウントを開始し、ユーザ装置１０のプレゼンスを示すデータが送信されないＰＵＲの数が所定数に達した時点で、ＰＵＲを開放してもよい。
【００７９】
＜ハードウェア構成＞
上記実施の形態の説明に用いたブロック図（図１３〜図１４）は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【００８０】
また、例えば、本発明の一実施の形態におけるユーザ装置１０と基地局２０はいずれも、本実施の形態に係る処理を行うコンピュータとして機能してもよい。図１５は、本実施の形態に係るユーザ装置１０と基地局２０のハードウェア構成の一例を示す図である。上述のユーザ装置１０と基地局２０はそれぞれ、物理的には、プロセッサ１００１、メモリ１００２、ストレージ１００３、通信装置１００４、入力装置１００５、出力装置１００６、バス１００７などを含むコンピュータ装置として構成されてもよい。
【００８１】
なお、以下の説明では、「装置」という文言は、回路、デバイス、ユニットなどに読み替えることができる。ユーザ装置１０と基地局２０のハードウェア構成は、図に示した１００１〜１００６で示される各装置を１つ又は複数含むように構成されてもよいし、一部の装置を含まずに構成されてもよい。
【００８２】
ユーザ装置１０と基地局２０における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【００８３】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４、呼処理部１０５などは、プロセッサ１００１によって実現されてもよい。
【００８４】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、ユーザ装置１０の制御部４０１は、メモリ１００２に格納され、プロセッサ１００１において動作する制御プログラムによって実現されてもよく、他の機能ブロックについても同様に実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【００８５】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存することができる。
【００８６】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【００８７】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１、アンプ部１０２、送受信部１０３、伝送路インターフェース１０６などは、通信装置１００４によって実現されてもよい。送受信部１０３は、送信部１０３ａと受信部１０３ｂとで、物理的に、または論理的に分離された実装がなされてもよい。
【００８８】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００８９】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【００９０】
また、ユーザ装置１０と基地局２０はそれぞれ、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００９１】
（実施の形態のまとめ）
本明細書には、少なくとも下記の通信装置及び通信方法が開示されている。
【００９２】
ユーザ装置の動作モードをアイドルモードに設定する制御部と、前記アイドルモードでデータを送信するための事前設定された無線リソースを用いてデータを送信する送信部と、ページング用のサーチスペース及び前記アイドルモードにおいてモニタする追加的なサーチスペースのうちの少なくとも１つのサーチスペースをモニタすることにより、前記データに対する送達確認情報を受信する受信部と、を備えるユーザ装置。アイドルモードのユーザ装置は、ページング用のサーチスペースをモニタする。従って、ユーザ装置が送信したデータに対する送達確認情報を、ページング用のサーチスペースにおいて送信することにより、アイドルモードのユーザ装置に、基地局からの送達確認情報を受信させることができる。また、ページング用のサーチスペース以外に、アイドルモードのユーザ装置がモニタする追加のサーチスペースを新たに定義して、このサーチスペースにおいて、ユーザ装置が送信したデータに対する送達確認情報を送信することで、アイドルモードのユーザ装置に、基地局からの送達確認情報を受信させることができる。
【００９３】
前記受信部は、前記事前設定された無線リソースの設定情報であって、前記追加的なサーチスペースの設定情報を含む、設定情報を受信してもよく、前記事前設定された無線リソースが周期的に設定される場合、前記追加的なサーチスペースの時間位置は前記事前設定された無線リソースの時間位置と関連付けられてもよく、又は前記追加的なサーチスペースの周期は前記事前設定された無線リソースの周期と関連付けられてもよい。
【００９４】
前記受信部は、設定情報であって、前記送達確認情報を受信するために前記ページング用のサーチスペースをモニタすべきであるか、又は前記送達確認情報を受信するために前記追加的なサーチスペースをモニタすべきであるかを示す、設定情報、を受信し、前記制御部は、前記設定情報に従って、前記送達確認情報を受信するために、前記受信部に前記ページング用のサーチスペース又は前記追加的なサーチスペースをモニタさせてもよい。この構成によれば、ユーザ装置が送達確認情報を受信するためにモニタするサーチスペースを、ネットワーク側で設定することが可能となる。
【００９５】
前記ページング用のサーチスペース及び前記追加的なサーチスペースは、１つのサブフレーム内に設定され、前記制御部は、前記受信部が前記ページング用のサーチスペースをブラインド復号化する回数の第１の上限値と、前記受信部が前記追加的なサーチスペースをブラインド復号化する回数の第２の上限値との合計が、前記１つのサブフレームにおける物理下りリンク制御チャネルについてのブラインド復号化の回数の上限値以下となるように、前記第１の上限値と前記第２の上限値とを設定してもよい。この構成によれば、送達確認情報を受信するためのブラインド復号化の回数を、物理下りリンク制御チャネルについてのブラインド復号化の回数の上限値以下とすることができる。
【００９６】
前記制御部は、前記ユーザ装置の動作モードとして、さらに、Ｄｉｓｃｏｎｔｉｎｕｏｕｓ  Ｒｅｃｅｐｔｉｏｎ  Ｍｏｄｅを適用し、前記受信部は、前記送信部が前記データを送信したＤＲＸサイクル内に設定された前記追加的なサーチスペースをモニタすることにより、前記データに対する前記送達確認情報を受信してもよい。この構成によれば、ユーザ装置が特定のＤＲＸサイクルにおいて、ＰＯをモニタした直後にデータを送信した場合であっても、当該特定のＤＲＸサイクル内で、送達確認情報を受信することが可能となる。
【００９７】
ユーザ装置の動作モードをアイドルモードに設定するステップと、前記アイドルモードでデータを送信するための事前設定された無線リソースを用いてデータを送信するステップと、ページング用のサーチスペース及び前記アイドルモードにおいてモニタする追加的なサーチスペースのうちの少なくとも１つのサーチスペースをモニタすることにより、前記データに対する送達確認情報を受信するステップと、を備える、ユーザ装置による通信方法。
【００９８】
上記の構成によれば、アイドルモードのユーザ装置に、基地局からの送達確認情報を受信させることができる。
【００９９】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、ユーザ装置１０と基地局２０は機能的なブロック図を用いて説明されたが、そのような装置はハードウェアで、ソフトウェアで又はそれらの組み合わせで実現されてもよい。本発明の実施の形態に従ってユーザ装置１０が有するプロセッサにより動作するソフトウェア及び本発明の実施の形態に従って基地局２０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１００】
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【０１０１】
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【０１０２】
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１０３】
本開示において基地局２０によって行われるとした特定動作は、場合によってはその上位ノード（upper  node）によって行われることもある。基地局２０を有する１つ又は複数のネットワークノード（network  nodes）からなるネットワークにおいて、端末との通信のために行われる様々な動作は、基地局２０及び基地局２０以外の他のネットワークノード（例えば、ＭＭＥ又はＳ−ＧＷなどが考えられるが、これらに限られない）の少なくとも１つによって行われ得ることは明らかである。上記において基地局２０以外の他のネットワークノードが１つである場合を例示したが、複数の他のネットワークノードの組み合わせ（例えば、ＭＭＥ及びＳ−ＧＷ）であってもよい。
【０１０４】
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【０１０５】
判定は、１ビットで表される値（０か１か）によって行われてもよいし、真偽値（Boolean：true又はfalse）によって行われてもよいし、数値の比較（例えば、所定の値との比較）によって行われてもよい。
【０１０６】
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１０７】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【０１０８】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１０９】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１１０】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１１１】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Ｃｏｍｐｏｎｅｎｔ  Ｃａｒｒｉｅｒ）は、キャリア周波数、セル、周波数キャリアなどと呼ばれてもよい。
【０１１２】
本開示において使用する「システム」及び「ネットワーク」という用語は、互換的に使用される。また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１１３】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１１４】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１１５】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１１６】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１１７】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１１８】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Ｉｎｔｅｒｎｅｔ  ｏｆ  Ｔｈｉｎｇｓ）機器であってもよい。
【０１１９】
また、本開示における基地局は、ユーザ端末で読み替えてもよい。例えば、基地局及びユーザ端末間の通信を、複数のユーザ端末間の通信（例えば、Ｄ２Ｄ（Ｄｅｖｉｃｅ−ｔｏ−Ｄｅｖｉｃｅ）、Ｖ２Ｘ（Ｖｅｈｉｃｌｅ−ｔｏ−Ｅｖｅｒｙｔｈｉｎｇ）などと呼ばれてもよい）に置き換えた構成について、本開示の各態様／実施形態を適用してもよい。この場合、上述の基地局２０が有する機能をユーザ端末２０が有する構成としてもよい。また、「上り」及び「下り」などの文言は、端末間通信に対応する文言（例えば、「サイド（ｓｉｄｅ）」）で読み替えられてもよい。例えば、上りチャネル、下りチャネルなどは、サイドチャネルで読み替えられてもよい。同様に、本開示におけるユーザ端末は、基地局で読み替えてもよい。この場合、上述のユーザ端末２０が有する機能を基地局２０が有する構成としてもよい。
【０１２０】
「接続された（ｃｏｎｎｅｃｔｅｄ）」、「結合された（ｃｏｕｐｌｅｄ）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１２１】
参照信号は、ＲＳ（Ｒｅｆｅｒｅｎｃｅ  Ｓｉｇｎａｌ）と略称することもでき、適用される標準によってパイロット（Ｐｉｌｏｔ）と呼ばれてもよい。
【０１２２】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１２３】
本開示において、「含む（ｉｎｃｌｕｄｅ）」、「含んでいる（ｉｎｃｌｕｄｉｎｇ）」及びそれらの変形が使用されている場合、これらの用語は、用語「備える（ｃｏｍｐｒｉｓｉｎｇ）」と同様に、包括的であることが意図される。さらに、本開示において使用されている用語「又は（ｏｒ）」は、排他的論理和ではないことが意図される。
【０１２４】
本開示において、例えば、英語でのａ、ａｎ及びｔｈｅのように、翻訳により冠詞が追加された場合、本開示は、これらの冠詞の後に続く名詞が複数形であることを含んでもよい。
【０１２５】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０１２６】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１２７】
１０１  送信部
１０２  受信部
１０３  制御部
２０１  送信部
２０２  受信部
２０３  制御部
１００１  プロセッサ
１００２  メモリ
１００３  ストレージ
１００４  通信装置
１００５  入力装置
１００６  出力装置
【図１】
2020166027.tif 000003
【図２】
2020166027.tif 000004
【図３】
2020166027.tif 000005
【図４】
2020166027.tif 000006
【図５】
2020166027.tif 000007
【図６】
2020166027.tif 000008
【図７】
2020166027.tif 000009
【図８】
2020166027.tif 000010
【図９Ａ】
2020166027.tif 000011
【図９Ｂ】
2020166027.tif 000012
【図１０】
2020166027.tif 000013
【図１１】
2020166027.tif 000014
【図１２】
2020166027.tif 000015
【図１３】
2020166027.tif 000016
【図１４】
2020166027.tif 000017
【図１５】
2020166027.tif 000018
【国際調査報告】
2020166027.tif 000019
2020166027.tif 000020
2020166027.tif 000021
2020166027.tif 000022